(57)【要約】      （修正有）【課題】異なるネットワークを介して伝送される信号を処理可能な信号処理装置などを提供する。【解決手段】配信システムにおいて、放送装置は、通信と放送といった複数のネットワークで信号を伝送し、さらに、映像信号と音声信号には、映像と音声の同期再生が可能となるタイミング情報を付加する。テレビは、「ＭＰＥＧ−Ｈ  ＭＭＴ」に準拠した信号を受信し、「ＭＰＥＧ−２  ＴＳ」に準拠した信号に変換することにより、外部記録媒体に記録することを可能にする。【選択図】図１
2020145682.tif 000002
【特許請求の範囲】
【請求項１】
所定のコンテンツを再生するための第１信号を第１伝送経路を介して受信する第１受信部と、
前記所定のコンテンツを再生するための第２信号であって、前記第１信号と同期して再生されるべき第２信号を、第２伝送経路を介して受信する第２受信部と、
前記第１信号および前記第２信号に基づき、前記第１信号と前記第２信号とを同期するために利用可能な制御信号の少なくとも一部を取り除いたうえで、前記所定のコンテンツを再生するためのデータを記録媒体に記録する記録手段と、を備える信号処理装置。
【請求項２】
前記第１受信部からの信号と前記第２受信部からの信号とを同期する同期手段を備え、
前記記録手段は、前記同期手段からの出力に基づき、前記データを前記記録媒体に記録する、請求項１に記載の信号処理装置。
【請求項３】
前記第１信号および前記第２信号は、ＭＰＥＧ−Ｈ  ＭＭＴに準拠しており、
前記データは、ＭＰＥＧ２−ＴＳに準拠している、請求項１または２に記載の信号処理装置。
【請求項４】
前記第１伝送経路および前記第２伝送経路の一方は放送であり、他方は通信である、請求項１ないし３のいずれかに記載の信号処理装置。
【請求項５】
所定のコンテンツを再生するための、ＭＰＥＧ−Ｈ  ＭＭＴに準拠した第１信号を受信する第１手段と、
前記第１信号に基づいて、前記所定のコンテンツを再生するための、ＭＰＥＧ２−ＴＳに準拠した第２信号を生成する第２手段と、
前記第２信号に基づいて、前記所定のコンテンツを再生するためのデータを記録媒体に記録する第３手段と、を備える信号処理装置。
【請求項６】
前記第１信号は、互いに異なる伝送経路で受信される信号どうしを同期するために用いられる制御情報を含んでおり、
前記第２信号は、前記制御情報の少なくとも一部を含まない、請求項５に記載の信号処理装置。
【請求項７】
前記第１信号に基づいて前記所定のコンテンツを再生するためのデータを記録媒体に記憶するのに比べて、前記第２信号に基づいて前記所定のコンテンツを再生するためのデータを記録媒体に記憶する方が、データ量が少ない、請求項５または６に記載の信号処理装置。
【請求項８】
前記第２手段は、前記第１信号を変換することによって前記第２信号を生成する、請求項５乃至７のいずれかに記載の信号処理装置。
【請求項９】
所定のコンテンツを再生するための、ＭＰＥＧ−Ｈ  ＭＭＴに準拠した信号を受信する第１手段と、
前記信号に基づいて、前記所定のコンテンツを再生するための、ＭＰＥＧ２−ＴＳに準拠したデータを記録媒体に記録する第２手段と、を備える信号処理装置。
【請求項１０】
前記信号は、互いに異なる伝送経路で受信される信号どうしを同期するために用いられる制御情報を含んでおり、
前記データは、前記制御情報の少なくとも一部を含まない、請求項９に記載の信号処理装置。
【請求項１１】
コンピュータを、
所定のコンテンツを再生するための第１信号を第１伝送経路を介して受信する手段と、
前記所定のコンテンツを再生するための第２信号であって、前記第１信号と同期して再生されるべき第２信号を、第２伝送経路を介して受信する手段と、
前記第１信号および前記第２信号に基づき、前記第１信号と前記第２信号とを同期するために利用可能な制御信号の少なくとも一部を取り除いたうえで、前記所定のコンテンツを再生するためのデータを記録媒体に記録する手段と、として機能させる信号処理プログラム。
【請求項１２】
コンピュータを、
所定のコンテンツを再生するための、ＭＰＥＧ−Ｈ  ＭＭＴに準拠した第１信号に基づいて、前記所定のコンテンツを再生するための、ＭＰＥＧ２−ＴＳに準拠した第２信号を生成する手段と、
前記第２信号に基づいて、前記所定のコンテンツを再生するためのデータを記録媒体に記録する手段と、として機能させる信号処理プログラム。
【請求項１３】
コンピュータを、所定のコンテンツを再生するための、ＭＰＥＧ−Ｈ  ＭＭＴに準拠した信号に基づいて、前記所定のコンテンツを再生するための、ＭＰＥＧ２−ＴＳに準拠したデータを記録媒体に記録する手段として機能させる信号処理プログラム。
【請求項１４】
所定のコンテンツを再生するための第１信号を第１伝送経路を介して受信し、
前記所定のコンテンツを再生するための第２信号であって、前記第１信号と同期して再生されるべき第２信号を、第２伝送経路を介して受信し、
前記第１信号および前記第２信号に基づき、前記第１信号と前記第２信号とを同期するために利用可能な制御信号の少なくとも一部を取り除いたうえで、前記所定のコンテンツを再生するためのデータを記録媒体に記録する信号処理方法。
【請求項１５】
所定のコンテンツを再生するための、ＭＰＥＧ−Ｈ  ＭＭＴに準拠した第１信号を受信し、
前記第１信号に基づいて、前記所定のコンテンツを再生するための、ＭＰＥＧ２−ＴＳに準拠した第２信号を生成し、
前記第２信号に基づいて、前記所定のコンテンツを再生するためのデータを記録媒体に記録する、を備える信号処理方法。
【請求項１６】
所定のコンテンツを再生するための、ＭＰＥＧ−Ｈ  ＭＭＴに準拠した信号を受信し、
前記信号に基づいて、前記所定のコンテンツを再生するための、ＭＰＥＧ２−ＴＳに準拠したデータを記録媒体に記録する、信号処理方法。
【発明の詳細な説明】
【技術分野】
【０００１】
本発明は、信号処理装置などに関する。
【背景技術】
【０００２】
通信と放送といった複数のネットワークで信号を伝送できる「ＭＰＥＧ−Ｈ  ＭＭＴ」が新たなスタンダードとなる可能性がある。
【先行技術文献】
【特許文献】
【０００３】
【特許文献１】国際公開ＷＯ２０１３／１９０７８７
【発明の概要】
【発明が解決しようとする課題】
【０００４】
異なるネットワークを介して伝送される信号を処理可能な信号処理装置などを提供する。
【課題を解決するための手段】
【０００５】
本発明の一態様によれば、特許請求の範囲に記載される信号処理装置が提供される。
【図面の簡単な説明】
【０００６】
【図１】第１の実施形態に係る配信システムの概略構成を示すブロック図。
【図２】同期部２３の処理動作を模式的に説明する図。
【図３】第２の実施形態に係る配信システムの概略構成を示すブロック図。
【図４】第３の実施形態に係る配信システムの概略構成を示すブロック図。
【図５】第４の実施形態に係る配信システムの概略構成を示すブロック図。
【図６】第５の実施形態に係る配信システムの概略構成を示すブロック図。
【図７】第６の実施形態に係る配信システムの概略構成を示すブロック図。
【図８】記憶部２Ｅの記憶内容の一例を示す図。
【図９】第７の実施形態に係る配信システムの概略構成を示すブロック図。
【図１０】第８の実施形態に係る配信システムの概略構成を示すブロック図。
【図１１】補完の様子を模式的に説明する図。
【図１２】第９の実施形態に係るレコーダ５の概略構成を示すブロック図。
【図１３】第１０の実施形態に係るスマートフォン６の概略構成を示すブロック図。
【図１４】２次元表示の一例を示す図。
【発明を実施するための形態】
【０００７】
（第１の実施形態）
映像信号と音声信号とが異なるネットワークを介して伝送される場合、伝送遅延差が生じることがある。それでも、映像信号および音声信号に提示時刻情報やタイムスタンプなどのタイミング情報が付加されていれば、受信器側で両者を同期させて再生することができる。しかしながら、映像信号を再生する機器と音声信号を再生する機器とが異なる場合、典型例としては、テレビで映像信号を再生し、テレビに接続されたアンプを用いて外付けのスピーカで音声信号を再生する場合などには、同期をとるのは困難である。
【０００８】
そこで、第１の実施形態では、そのような場合でも映像信号と音声信号とを同期させて再生できる仕組みを提供する。
【０００９】
図１は、第１の実施形態に係る配信システムの概略構成を示すブロック図である。本配信システムは、放送装置１、テレビ（信号処理装置）２、テレビ２と接続されたアンプ３、および、アンプ３に接続されたスピーカ４から構成される。なお、アンプ３とスピーカ４は一体であってもよい。また、テレビ２およびアンプ３から信号処理システムが構成される。
【００１０】
放送装置１は、コンテンツ記憶部１１と、映像送信部１２と、音声送信部１３とを有する。ただし、コンテンツ記憶部１１、映像送信部１２および音声送信部１３は、必ずしも１つの放送装置１内になくてもよく、複数の装置に分散されてもよい。
【００１１】
コンテンツ記憶部１１はコンテンツ信号を記憶している。コンテンツ信号は、互いに関連付けられた、同期して再生されるべき映像信号および音声信号から構成される。映像送信部１２は放送ネットワークを介して映像信号をテレビに送信する。また、音声送信部１３は通信ネットワーク（インターネットなど。以下同じ。）を介して音声信号をテレビに送信する。
【００１２】
映像信号および音声信号にはタイミング情報が付加されている。例えば、映像信号および音声信号は複数のパケットからなり、パケットにタイミング情報が含まれていてもよい。タイミング情報は提示時刻情報であってもよく、受信器側は、各時刻で再生すべき映像信号および音声信号のパケットを把握できる。また、タイミング情報はタイムスタンプであってもよく、受信器側は、あるタイムスタンプが付された映像信号のパケットと、同じタイムスタンプが付された音声信号のパケットとを同時に再生すればよい。
【００１３】
信号処理装置の例であるテレビ２は、映像受信部２１と、音声受信部２２と、同期部２３と、ディスプレイ２４と、スピーカ２５と、出力部２６とを有する。
映像受信部２１は放送ネットワークを介して映像信号を受信する。音声受信部２２は通信ネットワークを介して音声信号を受信する。ただし、受信される映像信号と音声信号とは必ずしも同期しているとは限らず、放送ネットワークと通信ネットワークの伝送遅延差などに起因して、一方が早く受信されることもある。
【００１４】
そこで、同期部２３は、映像信号と音声信号とが同期して再生されるよう、映像信号および／または音声信号の再生タイミングを制御する。より詳しくは、同期部２３はタイミング情報に基づいて映像信号と音声信号とを同期させる。例えばネットワークによって伝送遅延時間が異なる場合、同期部２３は、早く受信された信号を遅延させることで、伝送遅延時間の差を補償する。
【００１５】
図２は、同期部２３の処理動作を模式的に説明する図である。同図（ａ）に示すように、映像信号に対して音声信号がｄｔ１だけ遅れて受信されたとする。このことは、映像信号および音声信号に付加されたタイミング情報から把握される。この場合、同期部２３はフレームメモリを利用するなどによって映像信号をｄｔ１だけ遅延させ、同図（ｃ）に示すように、音声信号と同期させる。一方、同図（ｂ）に示すように、音声信号に対して映像信号がｄｔ２だけ遅れて受信された場合、同期部２３は音声信号をｄｔ２だけ遅延させ、同図（ｃ）に示すように、映像信号と同期させる。
【００１６】
同期部２３は、このような処理を、タイミング情報が付加される単位で行うことができる。例えば、各パケットにタイミング情報が付加される場合、同期部２３は１パケットごとに遅延させる時間を調整する。また、各フレームにタイミング情報が付加される場合、同期部２３は１フレームごとに遅延させる時間を調整する。
【００１７】
このようにして、互いに同期した映像信号および音声信号が生成される。前者はテレビ２に内蔵されたディスプレイ２４で再生され得る。後者はテレビ２に内蔵されたスピーカ２５で再生され得るが、アンプ３を介して外部のスピーカ４で音声信号を再生する場合には、テレビ２のスピーカ２５をミュートしておいてもよい。また、同期部２３での処理の前後に、必要に応じて映像処理および／または音声処理が行われてもよい。
【００１８】
テレビ２は、例えばＨＤＭＩ（登録商標）ケーブルによってアンプ３と接続されている。アンプ３に接続されたスピーカ４で音声信号を再生する場合、同期部２３から出力される音声信号、言い換えると、映像信号と同期された音声信号を、出力部２６がアンプ３に出力する。アンプ３の音声受信部３１はこのような音声信号を受信する。そして、この音声信号は必要に応じて音声処理が行われスピーカ４で再生される。
【００１９】
テレビ２において、同期された映像信号が同期部２３から出力されてディスプレイ２４で再生されるまでの時間と、同期された音声信号が出力部２６からアンプ３の音声受信部３１に出力されてスピーカ４で再生されるまでの時間とがほぼ等しければ、テレビ２で再生される映像信号とアンプ３を介してスピーカ４で再生される音声信号とを同期させることができる。テレビ２とアンプ３とが同一メーカー製である場合など、アンプ３における内部処理に要する時間が分かっている場合、同期部２３は、この時間も考慮して同期させることで、より高精度に映像信号と音声信号とを同期して再生できる。
【００２０】
このように、第１の実施形態では、映像信号と音声信号とを同期させたうえで、音声信号をアンプ３に送信するため、映像信号を再生するテレビ２と、音声信号を再生するアンプ３（スピーカ４）とが異なる場合でも、両信号を同期させて再生できる。この構成によれば、アンプ３には通信ネットワークを介して音声信号を受信するための通信機能や、音声信号の再生タイミングを調整する機構が不要である。
【００２１】
（第２の実施形態）
第２の実施形態は第１の実施形態の変形例であり、同期させる前の音声信号をアンプに出力するとともに、同期処理に必要な情報もアンプに通知し、アンプ側で同期処理を行うものである。以下、相違点を中心に説明する。
【００２２】
図３は、第２の実施形態に係る配信システムの概略構成を示すブロック図である。なお、図１の放送装置は省略している。テレビ２はさらに制御部２７を有する。
【００２３】
制御部２７は映像信号と音声信号とを同期させるために利用可能な信号（以下、同期制御信号という）を生成する。具体例として、制御部２７は、映像信号と音声信号との間の遅延時間（伝送時間差）を検出し、この遅延時間を示す同期制御信号を生成してもよい。ここでの遅延時間とは、映像時間と音声信号のうち、どちらの信号が他方の信号に対してどれだけの時間遅れて受信されるかを示す時間であり、例えば図２（ａ）におけるｄｔ１や、図２（ｂ）におけるｄｔ２である。遅延時間は映像信号および音声信号に付加されたタイミング情報から把握される。なお、他の用途の信号であっても、映像信号と音声信号との同期にも利用できるのであれば、その信号を同期制御信号として用いればよい。
【００２４】
出力部２６は、同期される前の音声信号と、同期制御信号とをアンプ３に出力する。これら２つの信号は、例えば両方ともＨＤＭＩケーブルを介してアンプ３に供給されてもよい。あるいは、音声信号はＨＤＭＩケーブルを介してアンプ３に供給され、同期制御信号は近距離無線通信など別経路を介してアンプ３に供給されてもよい。
【００２５】
アンプ３の音声受信部３１は同期される前の音声信号を受信する。そして、アンプ３も同期部３２を有しており、同期部３２は、同期制御信号に基づいて、音声受信部３１が受信した音声信号を、テレビ２で再生される映像信号に同期させる。同期制御信号が遅延時間を示す場合、同期部３２はその遅延時間に応じて音声信号を遅延させる。例えば、図２（ｂ）に示すように、映像信号がｄｔ２だけ遅延している場合、同期部３２は音声信号をｄｔ２だけ遅延させ、テレビ２における映像信号と同期させる。そして、同期された音声信号がスピーカ４で再生される。
【００２６】
なお、図２（ａ）に示すように、音声信号が遅延している場合、テレビの同期部２３において映像信号を遅延させることで映像信号と音声信号とを同期させる。そのため、アンプの同期部３２では音声信号を遅延等させる必要はない。よって、同期制御信号は、音声信号を遅延させる必要がないことを示してもよいし、単に映像信号より音声信号が遅延していることを示していてもよいし、あるいは遅延時間が０であることを示していてもよい。
【００２７】
このように、第２の実施形態では、同期制御信号をアンプ３に出力するため、映像信号を再生するテレビ２と、音声信号を再生するアンプ３とが異なる場合でも、両信号を同期させて再生できる。この構成によれば、アンプ３には、通信ネットワークを介して音声信号を受信するための通信機能が不要である。また、テレビ２の音声受信部２２の近くからアンプ３に音声信号が供給されるため、できるだけテレビ２側の音声処理を避けてアンプ３側で音声処理を行いたい場合に好適である。
なお、同期制御信号は同期部２３が同期処理を行う際に生成してもよい。
【００２８】
（第３の実施形態）
第３の実施形態は、同期される前の音声信号と同期制御信号とをアンプに供給するか、同期された音声信号をアンプに供給するか、を切り替え可能とするものである。以下、第１および第２の実施形態との差異を中心に説明する。
【００２９】
図４は、第３の実施形態に係る配信システムの概略構成を示すブロック図である。なお、図１の放送装置は省略している。テレビ２は、アンプ３の情報を取得する情報取得部２８をさらに部を有する。
【００３０】
アンプ３の情報とは、当該アンプ３が、同期される前の音声信号と同期制御信号とを受け取るべきか、同期された音声信号を受け取るべきかを示す情報である。あるいは、アンプ３の情報とは、当該アンプ３が同期制御信号を処理可能か否かを示す情報であってもよい。一例として、アンプ３の情報は、アンプ３が図３の同期部３２を有するか否かを判別可能な情報であってもよい。この場合、アンプ３の情報は、同期部３２を有するか否かを直接的に示す情報でもよいし、アンプ３の型番などの識別情報であってもよい。後者の場合、テレビ２内の（あるいはテレビ２から参照可能な）データベースに、同期部３２を有するアンプ３の型番と有さないアンプ３の型番とを記憶しておけばよい。別の例として、アンプ３の情報は、ユーザがアンプ３に対して設定できるようになっていてもよい。
【００３１】
情報取得部２８は、アンプ３の情報を、例えばＨＤＭＩケーブルを通してアンプ３から取得してもよいし、ユーザから直接設定を受け付けてもよい。アンプ３の情報は出力部２６に通知される。
【００３２】
また、これとは別に、出力部２６にはユーザ設定が入力される。ここでのユーザ設定は、図１に示すように同期された音声信号をアンプ３に供給するか、図３に示すように同期される前の音声信号と同期制御信号とをアンプ３に供給するかの設定である。
【００３３】
そして、出力部２６は、アンプ３の情報および／またはユーザ設定に基づいて、同期される前の音声信号および同期制御信号と、同期された（同期された後の）音声信号と、のうちのいずれかをアンプ３に出力する。なお、後者の場合、同期制御信号をアンプ３に供給してもよいし、しなくてもよい。
【００３４】
同期される前の音声信号および同期制御信号が供給される場合、アンプ３の同期部（不図示）は同期制御信号に基づいて音声信号を遅延させるなどにより、映像信号と音声信号とを同期させる。同期された音声信号が供給される場合、同期部がある場合でも特に動作する必要はない。なお、同期される前の音声信号および同期された後の音声信号のいずれであるかを示す情報も、出力部２６からアンプ３に通知するのが望ましい。
【００３５】
アンプ３の情報とユーザ設定との関係は、適宜優先順位を定めておけばよい。一例として、ユーザ設定として、「同期前」「同期後」「自動」の３つの選択肢をユーザに提供し、「同期前」「同期後」が選択された場合にはアンプ３の情報に関わらず選択された音声信号を供給するようにし、「自動」が選択された場合にはアンプ３の情報に基づいて音声信号を供給するようにしてもよい。別の例として、原則としてアンプ３の情報を優先するようにし、アンプ３の情報が不明な場合（取得できない場合）にはユーザ設定に応じた音声信号を供給するようにしてもよい。
【００３６】
なお、出力部２６がユーザ設定のみを用いる場合には情報取得部２８が省略可能であるし、出力部２６がアンプ３の情報のみを用いる場合にはユーザ設定は省略可能である。
【００３７】
また、上述した第１〜第３の実施形態は、テレビで映像信号および音声信号を受信し、音声信号をアンプに出力するものであった。これに対し、映像信号および音声信号を受信する信号処理装置であって、音声信号は当該信号処理装置で再生し、映像信号は接続された他の機器で再生される場合、映像信号が他の機器に出力される。この場合も、第１の実施形態で説明したように同期された映像信号を出力してもよいし、第２の実施形態で説明したように同期される前の映像信号および同期制御信号を出力してもよいし、第３の実施形態で説明したように両者のいずれかをユーザが選択できるようにしてもよい。
【００３８】
また、第１〜第３の実施形態において、テレビ２に接続された外部機器で映像信号を再生する場合、出力部２６は映像信号を当該機器に出力してもよい。この場合も、第１の実施形態で説明したように同期された映像信号を出力してもよいし、第２の実施形態で説明したように同期される前の映像信号および同期制御信号を出力してもよいし、第３の実施形態で説明したように両者のいずれかを選択できるようにしてもよい。
【００３９】
（第４の実施形態）
特許文献１の段落００５３には、放送ストリームによるチャンネルを選局した後、別途、ユーザからの視聴指示を受けて、通信ストリームの取得指示を行うことが開示されている。しかしながら、この場合、ユーザは、放送ネットワークに関するチャンネルの選局と、通信ネットワークに関する視聴指示とを別個に行わなければならず、非常に手間である。
そこで、本実施形態では、ユーザが簡易に両ネットワークに対する設定を行うことが可能な仕組みを提供する。
【００４０】
図５は、第４の実施形態に係る配信システムの概略構成を示すブロック図である。配信システムは放送装置１およびテレビ２から構成される。
【００４１】
放送装置１は、コンテンツ記憶部１１と、放送送信部１４と、通信部１５とを有する。ただし、コンテンツ記憶部１１、放送送信部１４および通信部１５は、必ずしも１つの放送装置１内になくてもよく、複数の装置に分散されてもよい。
【００４２】
コンテンツ記憶部１１は複数のコンテンツ信号を記憶している。各コンテンツ信号は、互いに関連付けられた、同期して再生されるべき映像信号および音声信号から構成され、そのそれぞれにはタイミング情報が付加されている。
【００４３】
放送送信部１４は、複数のコンテンツ信号における映像信号を多重化し、放送ネットワークを介して映像信号をテレビ２に送信する。本実施形態では、通信部１５はユニキャストで音声信号を送信することを想定しており、後述する要求信号をテレビ２から通信ネットワークを介して受信するとともに、要求信号が示す音声信号をコンテンツ記憶部１１から取得して通信ネットワークを介してテレビ２に送信する。
【００４４】
信号処理装置の例であるテレビ２は、操作受付部２９と、放送受信部２Ａと、チューナ（選択部）２Ｂと、要求部２Ｃと、通信部２Ｄと、同期部２３と、ディスプレイ２４と、スピーカ２５とを有する。
【００４５】
操作受付部２９はユーザ操作を受け付ける。ユーザ操作は、リモコンに対する操作であってもよいし、テレビ２本体に設けられたボタン（不図示）に対する操作であってもよい。本実施形態では、ユーザ操作として、多重化された映像信号のうちのどのチャンネルを選局するか、が設定されるものとする。この選局は、リモコンにおける選局キーの押下、ディスプレイ２４に表示された電子番組表から現在配信中のコンテンツを選択すること、テレビ２本体に設けられた選局ボタンを押下することなどによって行われる。
【００４６】
放送受信部２Ａは、多重化された複数の映像信号を、放送ネットワークを介して受信する。チューナ２Ｂは、ユーザから操作受付部２９が受け付けたユーザ操作に応じて、多重化された複数の映像信号のうちの１つを選局する。
【００４７】
要求部２Ｃは、選局された映像信号に関連付けられた音声信号を要求するための要求信号を生成する。本実施形態では、要求部２Ｃは、ユーザから操作受付部２９が受け付けたユーザ操作に応じて、要求信号を生成する。
【００４８】
分かりやすい例を挙げると、コンテンツ信号として第１〜第３放送局からのコンテンツ信号（以下、順に１ｃｈ，２ｃｈ，３ｃｈとする）があるとする。ユーザがユーザ操作によって２ｃｈを選局した場合、チューナ２Ｂが２ｃｈの映像信号を選局するとともに、要求部２Ｃが２ｃｈの音声信号を要求するための要求信号を生成する。
【００４９】
このように、１つのユーザ操作（上述したリモコンにおける選局キーの押下など）は、チューナ２Ｂによる選局と、要求部２Ｃによる要求信号生成の両方に用いられる。これにより、ユーザは、１つの操作で、放送ネットワークおよび通信ネットワークの両方に対する設定を行うことができ、手間を省ける。
【００５０】
通信部２Ｄは要求信号を通信ネットワークを介して放送装置１に送信する。そして、通信部２Ｄはこの要求信号に応じて通信部１５から送信された音声信号を受信する。受信された音声信号は、チューナ２Ｂによって選局された映像信号と関連付けられた音声信号である。
【００５１】
同期部２３、ディスプレイ２４およびスピーカ２５は上述した通りである。なお、同期部２３は、要求部２Ｃが要求信号を生成し、通信部２Ｄがこの要求信号を放送装置１に送信し、通信部２Ｄが音声信号を受信するまでの遅延も考慮して、チューナ２Ｂによって選局された映像信号と、通信部２Ｄによって受信された音声信号とを同期させるのが望ましい。
【００５２】
このように、第４の実施形態では、１つのユーザ操作で、放送ネットワークに対する制御および通信ネットワークに対する制御の両方を行うことができる。そのため、ユーザの手間を軽減できる。
【００５３】
なお、信号処理装置がスマートフォンやタブレットの場合、ユーザ操作は、タッチパネルに対する操作でもよいし、パソコンの場合にはマウスやキーボードに対する操作でもよく、何らかの入力インターフェースを用いて選局などを行えればよい。このことは他の実施形態でも同様である。また、放送ネットワークおよび通信ネットワークを介して伝送されるには映像信号と音声信号とである必要はなく、両方とも映像信号（あるいは音声信号）であってもよいし、何らかの制御信号であってもよい。
【００５４】
（第５の実施形態）
次に説明する第５の実施形態は、第４の実施形態の変形例である。以下、第４の実施形態との相違点を中心に説明する。
【００５５】
図６は、第５の実施形態に係る配信システムの概略構成を示すブロック図である。配信システムは放送装置１およびテレビ２から構成される。第４の実施形態との相違点として、テレビ２における要求部２Ｃは、チューナ２Ｂがどの映像信号を選局したかの通知をチューナ２Ｂから受けて要求信号を生成する。
【００５６】
第５の実施形態と同様の例を挙げると、ユーザ操作によって２ｃｈが選局された場合、チューナ２Ｂが２ｃｈの映像信号を選局する。そして、チューナ２Ｂは、２ｃｈの映像信号を選局したことを、要求部２Ｃに通知する。これを受けて、要求部２Ｃは２ｃｈの音声信号を要求するための要求信号を生成する。
【００５７】
このようにすることでも、ユーザの手間を軽減できる。第４の実施形態においても、第５の実施形態においても、ユーザの１つの操作に基づいて放送ネットワークおよび通信ネットワークの両方に対する設定が行える。
【００５８】
なお、チューナ２Ｂと要求部２Ｃの役割を入れ替えてもよい。すなわち、要求部２Ｃがユーザ操作に基づいて１つの音声信号を要求する要求信号を生成するとともに、どの音声信号を要求したかをチューナ２Ｂに通知し、この通知を受けてチューナ２Ｂが選局を行ってもよい。
【００５９】
（第６の実施形態）
第６の実施形態は第４，５の実施形態の変形例である。本実施形態では、１つのコンテンツ信号において、１つの映像信号に複数の音声信号が関連付けられているとする。複数の音声信号とは、例えば主音声と副音声でもよいし、互いに言語が異なる複数の音声でもよいし、ステレオ音声と５．１ｃｈ音声など情報量が異なる音声でもよい。
【００６０】
図７は、第６の実施形態に係る配信システムの概略構成を示すブロック図である。第４，５の実施形態との相違点として、テレビ２は記憶部２Ｅをさらに備える。記憶部２Ｅには、上記複数の音声信号のうちのいずれを要求すべきかを記憶している。なお、この記憶部２Ｅはテレビの外部にあってもよい。
【００６１】
図８は、記憶部２Ｅの記憶内容の一例を示す図である。本例では、映像信号ごとに（チャンネルごとに）、複数ある音声信号のうちのいずれを要求するかを予め記憶している。記憶内容は、ユーザの好みや使用言語に応じて、ユーザが設定したものであってもよい。あるいは、契約などに応じて自動的に設定されたものであってもよく、例えば５．１ｃｈ音声を受信する有料契約がなされた場合、そのことが放送ネットワークあるいは通信ネットワークを介して設定されてもよい。
【００６２】
記憶内容の各項目は、全チャンネルに共通していてもよいし、チャンネルごとに異なっていてもよい。例えば言語は全チャネル共通にするのが望ましい。また、例えば音楽番組を主とするチャンネルのみ５．１ｃｈ音声とするなど、情報量はチャンネルごとに異なっているのが望ましい。
【００６３】
要求部２Ｃは、操作受付部２９が受け付けたユーザ操作と、記憶部２Ｅの記憶内容とに基づいて、特定の音声信号を要求するための要求信号を生成する。図８の例では、ユーザ操作によって２ｃｈが選択された場合、要求部２Ｃは記憶部２Ｅを参照して、２ｃｈの音声信号のうち、日本語かつステレオ音声を要求するための要求信号を生成し、放送装置１に送信する。
【００６４】
放送装置１の通信部１５は、２ｃｈの映像信号に関連付けられた音声信号が複数ある場合に、要求信号に応じてそのうちの１つを選択し、通信ネットワークを介してテレビに送信する。
【００６５】
このように、第６の実施形態では、記憶部２Ｅに要求すべき音声信号を記憶しておくため、映像信号に関連付けられた音声信号が複数ある場合でも、ユーザの手間を軽減できる。
【００６６】
なお、図７では第４の実施形態と同様に操作受付部２９が受け付けたユーザ操作に基づいて要求部２Ｃが動作することとしたが、第５の実施形態と同様にチューナ２Ｂからの通知を受けて要求部２Ｃが動作することにしてもよい。
【００６７】
（第７の実施形態）
第４〜６の実施形態は、テレビ２からの要求に応じて音声信号が通信ネットワークを介して送信されるものであった。これに対し、次に説明する第７の実施形態は、複数の音声信号がいわゆるマルチキャストで送信され、テレビ２側でいずれかの音声信号を選択するものである。以下、相違点を中心に説明する。
【００６８】
図９は、第７の実施形態に係る配信システムの概略構成を示すブロック図である。本実施形態において、放送装置１の通信部１５は、テレビ２からの要求を受けることなく、複数の音声信号を（必要に応じて多重化して）、送信先を特定することなく送信する。このような送信形態はマルチキャストとも呼ばれ、放送ネットワークによる送信と類似している。複数の音声信号とは、例えば複数の放送局からのコンテンツ信号における音声信号である。
【００６９】
そして、テレビ２における通信部２Ｄは複数の音声信号を受信する。また、テレビ２は選択部２Ｆを備えており、操作受付部２９が受け付けたユーザ操作に応じていずれかの音声信号を選択する。
【００７０】
本実施形態では、１つのユーザ操作は、チューナ２Ｂによる選局と、選択部２Ｆによる選択の両方に用いられる。これにより、ユーザは、１つの操作で、放送ネットワークおよび通信ネットワークの両方に対する設定を行うことができ、手間を省ける。
【００７１】
なお、本実施形態は第４の実施形態と類似しているが、第５の実施形態と同様にしてもよい。すなわち、チューナ２Ｂがユーザ操作に基づいて１つの映像信号を選局するとともに、どの音声信号を選局したかを選択部２Ｆに通知し、この通知を受けて選択部２Ｆが選択を行ってもよい。もちろん、チューナ２Ｂと選択部２Ｆの役割を入れ替えてもよい。
また、第６の実施形態と同様に記憶部２Ｅを設け、選択部２Ｆが記憶部２Ｅも参照して選択を行ってもよい。
【００７２】
（第８の実施形態）
スマートフォンなどの場合、放送ネットワークからの信号受信が困難であったり、通信ネットワークからの信号受信が困難であったりすることがあるが、そのような状況でもできる限り映像信号や音声信号を再生できるようにする必要がある。
そこで、第８の実施形態では、音声信号を放送ネットワークおよび通信ネットワークの両方から受信し、そのいずれかを選択して再生するものである。
【００７３】
図１０は、第８の実施形態に係る配信システムの概略構成を示すブロック図である。上記実施形態との相違点を中心に説明する。本実施形態では、信号処理装置としてスマートフォンを想定しているが、他の電子機器にも適用可能であり、特にノートＰＣやタブレットのようなモバイル機器や、車載テレビ（カーナビにも内蔵され得る）などの移動通信機器に好適である。
【００７４】
放送装置１における放送送信部１４は、映像信号と、これと同期して再生されるべき第１音声信号とを、放送ネットワークを介して送信する。通信部１５は、映像信号と同期して再生されるべき第２音声信号を、通信ネットワークを介して送信する。第２音声信号は、（伝送ネットワークの違いに起因する相違を除き）第１音声信号と実質的に同じでもよいし、異なっていてもよく、具体例については後述する。
【００７５】
スマートフォン６は、放送受信部６１と、通信受信部６２と、判定部６３と、出力部６４と、同期部６５と、ディスプレイ６６と、スピーカ６７とを有する。放送受信部６１は、放送ネットワークを介して、映像信号および第１音声信号を受信する。通信受信部６２は、通信ネットワークを介して、第２音声信号を受信する。判定部６３は第１音声信号および第２音声信号のいずれを再生すべきかを判定する。出力部６４は、判定結果に応じて、第１音声信号または第２音声信号を選択して出力する。なお、出力部６４は、後段での処理用に、第１音声信号あるいは第２音声信号に所定の処理を行ってから出力してもよい。
【００７６】
同期部６５などは上述した通りである。なお、映像信号と第１音声信号とは同期されているはずなので、同期部６５は、第２音声信号が出力された場合にのみ、映像信号と第２音声信号とを同期させてもよい。
【００７７】
判定部６３は、放送ネットワークおよび通信ネットワークの状況や、第１音声信号および第２音声信号の受信品質に基づいて、いずれか優れている方を再生すべきと判定してもよい。放送ネットワークおよび通信ネットワークの状況は、例えば放送ネットワーク（放送波）の受信強度や、通信ネットワーク（通信用電波）の受信強度から判断されてもよい。受信品質は、映像信号や音声信号を復調・復号する際に検出されるエラー率やＳ／Ｎなどから判断されてもよい。いずれの場合でも、ネットワークの状況や音声信号の受信品質と、いずれを選択すべきかとの関係を予め定めておけばよい。
【００７８】
第１音声信号と第２音声信号が伝送ネットワークの違いに起因する相違のみで、再生される音声としては実質的に同じである場合、判定部６３は、第１音声信号および第２音声信号のうち高品質に再生可能な方を再生すべきと判定し、両信号とも同程度に再生可能であれば、いずれを再生すべきと判定してもよい。
【００７９】
第１音声信号はステレオ音声であり、第２音声信号は５．１ｃｈ音声であるなど、第２音声信号の方が高品質であってもよい。また、第１音声信号は基本となる言語（例えば日本人に使用されることを前提としたスマートフォンの場合は日本語）での音声であり、第２音声信号は複数言語のうちユーザが選択した言語の音声でもよい。
【００８０】
このような場合、ユーザは第１音声信号より第２音声信号の再生を望んでいるはずなので、判定部６３は第２音声信号が優先的に再生されるよう判定するのがよい。例えば、第１音声信号も第２音声信号も同程度に再生可能であれば、判定部６３は第２音声信号を再生すべきと判定する。そして、第２音声信号の再生が不可能（再生できたとしても聞くに堪えない場合や、第１音声信号を再生した方がクリアに聞こえる場合も含む）な場合に限って第１音声信号を再生すべきと判定する。
【００８１】
逆に、ユーザが第１音声信号の再生を望んでいると考えられる場合には、判定部６３は第１音声信号が優先的に再生されるよう判定してもよい。詳細は上記と同様である。
【００８２】
ところで、例えば第２音声信号を再生すべきと判定された場合でも、第２音声信号の一部分が欠落することはあり得る。その場合、出力部６４は欠落した部分を第１音声信号の対応する部分でリアルタイムに補完しながら出力してもよい。
【００８３】
図１１は、補完の様子を模式的に説明する図である。通信受信部６２が受信すべき第２音声信号のパケットＰ２が正常に受信できない場合、出力部６４は、放送受信部６１が受信した第１音声信号のパケットＰ１２（パケットＰ２に対応）を用いて補完を行う。この場合、出力部６４は、第１音声信号および第２音声信号に含まれるタイミング情報に基づいて、第２音声信号における正常に受信できないパケットと対応する、第１音声信号におけるパケットを把握できる。すなわち、パケットＰ２にはタイミング信号Ｔ２が付されており、これと対応するタイミング信号Ｔ２が付されたパケットＰ１２を補完に用いればよいことが分かる。必要に応じて、パケットＰ１２の前後のパケットを補完に用いてもよい。
【００８４】
パケットＰ１２とパケットＰ２とが実質的に同一であれば、出力部６４は単にパケットＰ２の部分をパケットＰ１２で置き換えればよい。また、両者が異なる場合、出力部６４は必要な変換を行ってもよい。例えば、第１音声信号がステレオ音声で、第２音声信号が５．１ｃｈ音声である場合、出力部６４は補完時に公知の手法でステレオ音声を５．１ｃｈ音声に変換してもよい。前者と後者とが言語違いである場合、出力部６４は補完時にその言語を翻訳してもよい。また、音声信号ではなく両者が解像度が異なる映像信号である場合、出力部６４は補完時にリサイズを行ってもよい。
【００８５】
このように、第８の実施形態では、判定部６３を設けるため、放送ネットワークを介して受信した音声信号と、通信ネットワークを介して受信した音声信号のうち、適切な方を再生できる。
【００８６】
なお、本実施形態では、出力部６４の出力先は最終的にはスピーカ６７であるが、例えば信号処理装置がテレビである場合の出力先は第１の実施形態などで説明したようなアンプでもよいし、信号処理装置がレコーダである場合の出力先は記憶媒体でもよく、出力先に特に制限はない。
【００８７】
（第９の実施形態）
本実施形態では信号処理装置として主にレコーダを想定している。タイミング情報を含む映像信号と音声信号は、そうでない映像信号や音声信号に比べてデータ量が多いため、記録容量を圧迫してしまう。そのため、本実施形態では、タイミング情報を取り除いて録画するものである。
【００８８】
図１２は、第９の実施形態に係るレコーダ５の概略構成を示すブロック図である。信号処理装置の例であるレコーダ５は、映像受信部５１と、音声受信部５２と、同期部５３と、出力部５４と、記録媒体５５と、読出部５６とを備えている。なお、記録媒体５５は内蔵ハードディスクなどレコーダ５内にあってもよいし、光ディスクなど外部から挿入されるものであってもよい。
【００８９】
映像受信部５１は映像信号を、音声受信部５２は音声信号を、互いに異なるネットワーク（例えば前者を放送ネットワーク、後者を通信ネットワーク）を介して受信する。同期部５３は、映像信号および音声信号に含まれるタイミング情報に基づいて、映像信号と音声信号とを同期させる。出力部５４は、同期された映像信号および音声信号を記録媒体５５に出力し、映像信号と音声信号とが同期がされた状態でこれに記録する。
【００９０】
ここで、タイミング情報を含んだまま映像信号および音声信号を記録媒体に記録してもよいが、出力部５４は、映像信号におけるタイミング情報および／または音声信号におけるタイミング情報の少なくとも一部を取り除いて出力するのが望ましい。タイミング情報は映像信号と音声信号とを同期させるために必要ではあるが、いったん同期させた後は必ずしも保持しておく必要はない。そこで、タイミング情報を取り除くことで、記録媒体５５に効率よく記録できる。
【００９１】
また、出力部５４は映像信号および音声信号のフォーマットを変換して記録媒体５５に記録してもよく、例えばＭＰＥＧ−Ｈ  ＭＭＴに準拠した信号をＭＰＥＧ２−ＴＳに準拠した信号に変換して記録してもよい。
【００９２】
読出部５６は、記録媒体５５に記録された映像信号および音声信号を、同期させた状態で読み出し、テレビなどの外部機器（不図示）に出力する。この際、必要であれば、読出部５６は、読み出した映像信号および音声信号にタイミング情報を付加するなど、フォーマットを変換して出力してもよい。出力先の外部機器がタイミング情報を含む映像信号および音声信号を処理することや、特定フォーマットの信号を処理することを想定している場合には、このようにするのが有効である。
【００９３】
このように、第９の実施形態では、タイミング信号を取り除いて録画するため、録画に必要な容量を減らすことができる。
なお、出力部５４は、タイミング情報が取り除かれた映像信号および音声信号を、記録媒体５５以外に出力してもよい（例えば第１〜第３の実施形態の場合）。また、同期部５３が映像信号と音声信号とを同期させる際にタイミング情報を取り除いてもよい。
【００９４】
（第１０の実施形態）
放送ネットワークと通信ネットワークの両方から信号を受信する場合、放送ネットワークのみ正常に受信できても、通信ネットワークのみ正常に受信できても不十分である。特に、スマートフォンなどのモバイル機器においては、適切な位置にない場合には、放送ネットワークや通信ネットワークからの信号を安定して受信できない。そこで、本実施形態では、ユーザが適切な位置を把握するのを補助する仕組みを提供する。
【００９５】
図１３は、第１０の実施形態に係るスマートフォン６の概略構成を示すブロック図である。本実施形態では、信号処理装置の例であるスマートフォン６が、放送受信レベル検出部６８と、通信受信レベル検出部６９と、表示制御部６Ａとを備えている。他は上述した実施形態と同様である。
【００９６】
放送受信レベル検出部６８は放送ネットワーク（放送波）の受信レベルを検出する。通信受信レベル検出部６９は通信ネットワーク（通信電波）の受信レベルを検出する。表示制御部６Ａは、放送ネットワークの受信強度と、通信ネットワークの受信強度とをディスプレイ６６に２次元表示する。
【００９７】
図１４は、２次元表示の一例を示す図である。図示のように、放送ネットワークの受信レベルを横軸に、通信ネットワークの受信レベルを縦軸に表示することができる。
【００９８】
同図の丸印は、現在（多少のタイムラグがあってもよいが）の受信強度を示しており、スマートフォン６が移動するなどによって受信強度が変化した場合、表示制御部６Ａはこの丸印の位置をリアルタイムに移動させて表示させるのが望ましい。
【００９９】
同図の四角印は、現在受信中の放送信号および通信信号を正常に再生するための目標値を示している。この位置は、放送信号の種類や選局されたチャンネルなど、受信する信号に応じて異なっていてもよい。この目標値は複数あってもよく、最高品質で再生するための目標値と、最低限の再生をするための目標値とが表示されてもよい。
【０１００】
ユーザは、この表示を見ながら、現在の放送ネットワークの受信強度および通信ネットワークの受信強度の両方が受信強度の目標値を超えるよう、移動したりアンテナを調整したりすればよい。
【０１０１】
このような表示は、例えばユーザの操作に応じて開始される。そして、表示制御部６Ａは、開始時点以降における放送ネットワークおよび通信ネットワークの受信強度の最大値を表示してもよく、その場合、同最大値が更新される度に、その位置を移動してもよい。これにより、たとえ受信強度が目標値に届かないとしても、ユーザはその時に可能な範囲での受信強度を把握できる。
【０１０２】
以上説明した信号処理装置における全部または一部は、プロセッサが所定のプログラムを実行することによって実現される機能であってもよい。また、各信号処理装置における機能部は、すべてが必須というわけではなく、必要に応じて省略してもよいし、他の機能部を追加してもよいし、複数の装置に分散されていてもよい。さらに、複数の実施形態を組み合わせてもよい。
以上の実施形態に基づいて、例えば以下のような構成が想到される。
【０１０３】
［Ａ−１］（第１の実施形態）
第１信号を第１ネットワークを介して受信する第１受信部と、
前記第１信号と同期して再生されるべき第２信号を第２ネットワークを介して受信する第２受信部と、
前記第１信号と前記第２信号とを同期させる（前記第１信号と前記第２信号とが同期して再生されるよう前記第１信号および／または前記第２信号を制御する）同期部と、
同期された前記第２信号を外部機器に出力する出力部と、を備える、信号処理装置。
【０１０４】
［Ａ−１’］
映像信号を第１ネットワークを介して受信する第１受信部と、
前記映像信号と同期して再生されるべき音声信号を第２ネットワークを介して受信する第２受信部と、
前記映像信号と前記音声信号とを同期させる同期部と、
前記映像信号が再生されるディスプレイと、
同期された前記音声信号をアンプに出力する出力部と、を備え、
前記第１ネットワークおよび前記第２ネットワークの一方が放送ネットワークであり、他方が通信ネットワークである、テレビ。
【０１０５】
［Ｂ−１］（第２の実施形態）
第１信号を第１ネットワークを介して受信する第１受信部と、
前記第１信号と同期して再生されるべき第２信号を第２ネットワークを介して受信する第２受信部と、
前記第１信号と前記第２信号とを同期させるために利用可能な制御信号を生成する制御部と、
前記制御信号および前記第２信号を外部機器に出力する出力部と、を備える、信号処理装置。
【０１０６】
［Ｃ−１］（第３の実施形態）
第１信号を第１ネットワークを介して受信する第１受信部と、
前記第１信号と同期して再生されるべき第２信号を第２ネットワークを介して受信する第２受信部と、
前記第１信号と前記第２信号とを同期させるために利用可能な制御信号を生成する制御部と、
前記第１信号と前記第２信号とを同期させる同期部と、
接続された外部機器の情報および／またはユーザ設定に基づいて、前記制御信号および前記第２信号と、同期された前記第２信号と、のいずれかを前記外部機器に出力する出力部と、を備える、信号処理装置。
【０１０７】
［Ｃ−２］
前記制御信号は、
前記第１信号と前記第２信号との間の遅延時間差を示すか、
前記第２信号を遅延させるべき時間を示す、
Ｂ−１またはＣ−１に記載の信号処理装置。
【０１０８】
［Ｄ−１］
Ａ−１〜Ｃ−２のいずれかに記載の信号処理装置における前記出力部から出力される前記第２信号を受信する受信部を備える、受信装置。
【０１０９】
［Ｅ−１］
Ａ−１〜Ｃ−２のいずれかに記載の信号処理装置と、
Ｄ−１に記載の受信装置と、を備える信号処理システム。
【０１１０】
［Ｆ−１］（第４の実施形態）
複数の信号を含む信号（多重化された複数の信号）を放送ネットワークを介して受信する受信部と、
前記複数の信号から第１信号を選択する選択部と、
前記第１信号と同期して再生されるべき第２信号を、通信ネットワークを介して送信するよう要求する要求信号を生成する要求部と、
ユーザ操作を受け付ける操作受付部と、を備え、
１つの前記ユーザ操作に基づいて、前記選択部が前記第１信号を選択するだけでなく、前記要求部が前記要求信号を生成する、信号処理装置。
【０１１１】
［Ｆ−２］
前記１つのユーザ操作は、選局操作である、Ｆ−１に記載の信号処理装置。
【０１１２】
［Ｆ−３］（第６の実施形態）
前記第１信号と同期して再生されるべき信号は複数あり、そのいずれを前記第２信号として要求するかを記憶した記憶部を参照して、前記要求部は前記要求信号を生成する、Ｆ−１，２に記載の信号処理装置。
【０１１３】
［Ｇ−１］
複数の信号を含む信号を第１ネットワークを介して受信する第１受信部と、
前記複数の信号から第１信号を選択する選択部と、
前記第１信号と同期して再生されるべき第２信号を、第２ネットワークを介して受信する第２受信部と、
ユーザ操作を受け付ける操作受付部と、を備え、
１つの前記ユーザ操作に基づいて、前記第１信号が選択されるとともに、前記第２信号が受信される、信号処理装置。
【０１１４】
［Ｈ−１］（第７の実施形態）
複数の信号を含む信号を第１ネットワークを介して受信する第１受信部と、
前記複数の信号から第１信号を選択する第１選択部と、
複数の信号を含む信号を第２ネットワークを介して受信する第２受信部と、
前記複数の信号から、前記第１信号と同期して再生されるべき第２信号を選択する第２選択部と、
ユーザ操作を受け付ける操作受付部と、を備え、
１つの前記ユーザ操作に基づいて、前記第１選択部が前記第１信号を選択するだけでなく、前記第２選択部が前記第２信号を選択する、信号処理装置。
【０１１５】
［Ｉ−１］（第８の実施形態）
映像信号と、これと同期して再生されるべき第１音声信号とを第１ネットワークを介して受信する第１受信部と、
前記映像信号と同期して再生されるべき第２音声信号を第２ネットワークを介して受信する第２受信部と、
前記第１音声信号および前記第２音声信号のいずれを再生すべきかを判定する判定部と、
判定結果に応じて前記第１音声信号または前記第２音声信号を出力する音声出力部と、を備える信号処理装置。
【０１１６】
［Ｉ−２］
前記判定部は、
前記第１音声信号および前記第２音声信号ともに再生可能である場合には、前記第２音声信号を再生すべきと判定し、
前記第２音声信号が再生不可である場合には、前記第１音声信号を再生すべきと判定する、Ｉ−１に記載の信号処理装置。
【０１１７】
［Ｉ−３］
前記判定部は、前記第１ネットワークおよび／または前記第２ネットワークの状況に応じて判定する、Ｉ−１，２に記載の信号処理装置。
【０１１８】
［Ｉ−４］
前記判定部は、受信された前記映像信号、前記第１音声信号および前記第２音声信号の少なくとも１つの受信品質に応じて判定する、Ｉ−１，３に記載の信号処理装置。
【０１１９】
［Ｉ−５］
前記音声出力部は、
前記第１音声信号を再生すべきと判定された場合に、前記第１音声信号の欠落部を前記第２音声信号を用いて補完し、および／または、
前記第２音声信号を再生すべきと判定された場合に、前記第２音声信号の欠落部を前記第１音声信号を用いて補完する、Ｉ−１〜７に記載の信号処理装置。
【０１２０】
［Ｉ−６］
前記音声出力部は、前記第１音声信号と前記第２音声信号とを同期させて補完する、Ｉ−５に記載の信号処理装置。
【０１２１】
［Ｉ−７］
前記第１信号と前記第２音声信号とを同期させる同期処理部を備える、Ｉ−１〜６に記載の信号処理装置。
【０１２２】
［Ｊ−１］（第８の実施形態）
第１信号を放送ネットワークを介して受信する第１受信部と、
前記第１信号と同じ種類の第２信号を通信ネットワークを介して受信する第２受信部と、
前記第１信号および前記第２信号のいずれを再生すべきかを判定する判定部と、
判定結果に応じて前記第１信号または前記第２信号を出力する出力部と、を備える信号処理装置。
【０１２３】
［Ｊ−２］
前記第１信号および前記第２信号は、ともに映像信号であるか、ともに音声信号である、Ｊ−１に記載の信号処理装置。
【０１２４】
［Ｊ−３］
前記出力部は、
前記第１信号を再生すべきと判定された場合に、前記第１信号の欠落部を前記第２信号を用いて補完し、および／または、
前記第２信号を再生すべきと判定された場合に、前記第２信号の欠落部を前記第１信号を用いて補完する、Ｊ−２に記載の信号処理装置。
【０１２５】
［Ｋ−１］（第８の実施形態）
第１信号を第１ネットワークを介して受信する第１受信部と、
前記第１信号と同じ種類の第２信号を第２ネットワークを介して受信する第２受信部と、
前記第１信号を前記第２信号で補完しながら出力する出力部と、を備える信号処理装置。
【０１２６】
［Ｌ−１］（第９の実施形態）
タイミング情報を含む第１信号を第１ネットワークを介して受信する第１受信部と、
前記第１信号と同期して再生されるべき、タイミング情報を含む第２信号を第２ネットワークを介して受信する第２受信部と、
前記タイミング情報に基づいて、前記第１信号と前記第２信号とを同期させる同期部と、
同期された前記第１信号および前記第２信号からタイミング情報の少なくとも一部を取り除いて出力する出力部と、を備える信号処理装置。
【０１２７】
［Ｌ−２］
前記出力部の出力先は、記録媒体である、Ｌ−１に記載の信号処理装置。
【０１２８】
［Ｍ−１］（第１０の実施形態）
特定の時点における放送ネットワークの受信強度および通信ネットワークの受信強度をディスプレイに２次元表示させる表示制御部を備える、信号処理装置。
【０１２９】
［Ｍ−２］
前記表示制御部は、前記ネットワークの受信強度を第１軸とし、前記通信ネットワークの受信強度を第２軸とする２次元表示を行う、Ｍ−１に記載の信号処理装置。
【０１３０】
［Ｍ−３］
第１信号を放送ネットワークを介して受信する第１受信部と、
前記第１信号と同期して再生されるべき第２信号を通信ネットワークを介して受信する第２受信部と、を備え、
前記表示制御部は、前記第１信号を再生するための放送ネットワークの受信強度および前記第２信号を再生するための通信ネットワークの受信強度に目標値も前記ディスプレイに表示させる、Ｍ−１，２に記載の信号処理装置。
【０１３１】
［Ｍ−４］
前記表示制御部は、前記放送ネットワークの受信強度および前記通信ネットワークの受信強度をリアルタイムにディスプレイに２次元表示させる、Ｍ−１〜３に記載の信号処理装置。
【０１３２】
［Ｍ−５］
前記表示制御部は、ユーザ操作に応じて２次元表示を開始し、この開始時点以降の前記放送ネットワークおよび前記通信ネットワークの受信強度の最大値も前記ディスプレイに表示させる、Ｍ−１〜４に記載の信号処理装置。
【０１３３】
上記において、第１ネットワークおよび第２ネットワークは、例えば放送ネットワークや通信ネットワーク（インターネットなど）であるが、信号を伝送可能な他のネットワークであってもよく、特定の場合を除き、一方向通信であるか双方向通信であるかは問わない。放送ネットワークは、地上デジタル放送、ＢＳ放送、ＣＳ放送、ケーブル放送などであり、その種類に制限はない。また、通信ネットワークは、特定の場合を除き、マルチキャストであってもよいし、ユニキャストであってもよい。
信号処理装置は、例えばテレビ、レコーダ、スマートフォン、携帯電話、タブレット、アンプ、チューナ、カーナビ、パソコンなどである。
【０１３４】
第１信号および第２信号は、例えば映像信号や音声信号であるが、特定の場合を除き、制御信号などであってもよい。第１信号および第２信号の両方が映像信号であってもよく、例えば３Ｄ映像やマルチビュー映像におけるある視点からの映像と他の視点からの映像でもよいし、高解像度映像における一部分と他の部分であってもよい。また、第１信号および第２信号の両方が音声信号であってもよい。さらに、第１信号および第２信号のそれぞれは、多重化などによって複数の信号（これも映像信号や音声信号など）が含まれていてもよい。
【符号の説明】
【０１３５】
２  テレビ
【図１】
2020145682.tif 000003
【図２】
2020145682.tif 000004
【図３】
2020145682.tif 000005
【図４】
2020145682.tif 000006
【図５】
2020145682.tif 000007
【図６】
2020145682.tif 000008
【図７】
2020145682.tif 000009
【図８】
2020145682.tif 000010
【図９】
2020145682.tif 000011
【図１０】
2020145682.tif 000012
【図１１】
2020145682.tif 000013
【図１２】
2020145682.tif 000014
【図１３】
2020145682.tif 000015
【図１４】
2020145682.tif 000016